(57)【要約】【課題】ベッド、椅子またはソファー用台座を提供する。【解決手段】ベッド、椅子またはソファー用台座は、固定座、第一揺れ座、第二揺れ座、旋転座および三つの駆動装置を備える。第一揺れ座は固定座の上方に装着され、駆動装置の駆動力によって固定座に対して前後に往復運動する。第二揺れ座は第一揺れ座の上方に装着され、駆動装置の駆動力によって第一揺れ座に対して左右に往復運動する。旋転座は第二揺れ座の上方に装着され、駆動装置の駆動力によって仮想垂直線を軸にして第二揺れ座に対して旋転する。上述した特徴により、台座は前後スウィング機能、左右スウィング機能および旋転機能を同時に果たすか、単独でいずれか一つの機能を果たすことができるだけでなく、構造の小型軽量化および運送の利便性を実現させ、作動の時の騒音を低減し、製造コストを削減することができる。【選択図】  図１
2019136477.tif 000002
【特許請求の範囲】
【請求項１】
固定座、第一揺れ座、第二揺れ座、旋転座、第一駆動装置、第二駆動装置および第三駆動装置を備え、
前記第一揺れ座は、前記固定座の上方に装着され、前記固定座に対して前後に往復運動し、
前記第二揺れ座は、前記第一揺れ座の上方に装着され、前記第一揺れ座に対して左右に往復運動し、
前記旋転座は、前記第二揺れ座の上方に装着され、仮想垂直線を軸にして前記第二揺れ座に対して旋転し、
前記第一駆動装置は、前記固定座と前記第一揺れ座との間に装着され、前記固定座に対して前記第一揺れ座を前後に揺らし、
前記第二駆動装置は、前記第一揺れ座と前記第二揺れ座との間に装着され、前記第一揺れ座に対して前記第二揺れ座を左右に揺らし、
前記第三駆動装置は、前記第二揺れ座と前記旋転座との間に装着され、前記第二揺れ座に対して前記旋転座を旋転させることを特徴とするベッド、椅子またはソファー用台座。
【請求項２】
前記固定座は、上方に複数の縦方向ローラーを有し、複数の前記縦方向ローラーは二列に分かれて相互に平行して配列され、
前記第一揺れ座は二つの前後方向に広がる縦方向円弧状レールを有し、二つの前記縦方向円弧状レールは複数の前記縦方向ローラーに当接することを特徴とする請求項１に記載のベッド、椅子またはソファー用台座。
【請求項３】
前記第一揺れ座は、上方に複数の横方向ローラーを有し、複数の前記横方向ローラーは二列に分かれて相互に平行して配列され、
前記第二揺れ座は二つの左右方向に広がる横方向円弧状レールを有し、二つの前記横方向円弧状レールは複数の前記横方向ローラーに当接することを特徴とする請求項２に記載のベッド、椅子またはソファー用台座。
【請求項４】
前記第一揺れ座は、さらに四つの縦部材、フレーム前部およびフレーム後部を有し、四つの前記縦部材は二つの前記縦方向円弧状レールの両端の下方に広がり、前記フレーム前部は前方の二つの前記縦部材の底部に連結され、前記フレーム後部は後方の二つの前記縦部材の底部に連結され、複数の前記横方向ローラーは前記フレーム前部および前記フレーム後部に配置され、
前記第二揺れ座の二つの前記横方向円弧状レールは下方に広がって前記第一揺れ座の二つの前記縦方向円弧状レールの間に嵌まり込むことを特徴とする請求項３に記載のベッド、椅子またはソファー用台座。
【請求項５】
前記第二揺れ座と前記旋転座との間には少なくとも一つの可動当接部材が配置されることを特徴とする請求項１に記載のベッド、椅子またはソファー用台座。
【請求項６】
前記可動当接部材は、ローラー、エンジニアリングプラスチック、ボール盤またはユニバーサルボールから構成されることを特徴とする請求項５に記載のベッド、椅子またはソファー用台座。
【請求項７】
前記第二揺れ座はさらに軸受け部を有し、
前記旋転座は前記軸受け部と嵌り合う嵌合部を有することを特徴とする請求項５に記載のベッド、椅子またはソファー用台座。
【請求項８】
前記固定座の複数の前記縦方向ローラーは前記第一揺れ座の前記縦方向円弧状レールの上部および下部に接触することを特徴とする請求項２に記載のベッド、椅子またはソファー用台座。
【請求項９】
前記第一揺れ座の複数の前記横方向ローラーは前記第二揺れ座の前記横方向円弧状レールの上部および下部に接触することを特徴とする請求項３に記載のベッド、椅子またはソファー用台座。
【請求項１０】
前記第一駆動装置は、第一動力源、第一レバーおよび第一連結棒を有し、
前記第一動力源は前記固定座に配置され、水平方向に伸びて配置される第一出力軸を有し、前記第一レバーは一端が前記第一出力軸に連結され、前記第一連結棒は一端が前記第一レバーに連結され、他端が前記第一揺れ座に連結されることを特徴とする請求項１に記載のベッド、椅子またはソファー用台座。
【請求項１１】
前記第二駆動装置は、第二動力源、第二レバーおよび第二連結棒を有し、
前記第二動力源は前記第一揺れ座に配置され、水平方向に伸びて配置される第二出力軸を有し、前記第二レバーは一端が前記第二出力軸に連結され、前記第二連結棒は一端が前記第二レバーに連結され、他端が前記第二揺れ座に連結されることを特徴とする請求項１に記載のベッド、椅子またはソファー用台座。
【請求項１２】
前記第三駆動装置は、第三動力源、第三レバーおよび第三連結棒を有し、
前記第三動力源は前記第二揺れ座に配置され、垂直方向に伸びて配置される第三出力軸を有し、前記第三レバーは一端が前記第三出力軸に連結され、前記第三連結棒は一端が前記第三レバーに連結され、他端が前記旋転座に連結されることを特徴とする請求項１に記載のベッド、椅子またはソファー用台座。
【発明の詳細な説明】
【技術分野】
【０００１】
本発明は、家具に関し、詳しくはベッド、椅子またはソファーに用いられ、運動方向が異なるスウィング機能および旋転機能または二つの機能のいずれか一つを搭載する台座に関するものである。
【背景技術】
【０００２】
一般のスウィング機能付きベッドまたは椅子は単一方向のスウィング、即ち前後スウィングまたは左右スウィングしかできない。その中でも一部分のスウィング機能付きベッドまたは椅子はさらに旋転機能を有する。単なる前後スウィング、単なる左右スウィングまたは単純な旋転を持続させれば、使用者を退屈に感じさせるだけでなく、使用者をよりリラックスさせる効果ができない。問題点が把握できるにもかかわらず、前後・左右スウィング機能および旋転機能を同時に備えるベッド、椅子またはソファーを開発する際に様々な技術への挑戦に臨むことになる。つまり、機能が多ければ多いほど構造が複雑になり、部品が多くなる。それに対して、台座は体積が増大し、特に高さが一般のベッドや椅子の高さよく大きいだけでなく、重量も増大することを免れないため、運送に不便になり、製造コストが高くなり、販売に不利になるという問題が発生する。また運動方向が異なる駆動装置を同時に作動させれば、騒音が相乗することだけでなく、使用者を完全にリラックスさせることができない。
【発明の概要】
【発明が解決しようとする課題】
【０００３】
本発明は、前後スウィング機能、左右スウィング機能および旋転機能を同時に発揮できるか、単独でいずれか一つの機能を発揮できるだけでなく、全体の高さが比較的小さく、ベッド、椅子またはソファーと結合した後の高さが適宜使用高さ範囲内にあるベッド、椅子またはソファー用台座を提供することを主な目的とする。
【０００４】
本発明は、構造の小型軽量化および運送の利便性を実現させ、作動の時の騒音を低減し、製造コストを削減することができるベッド、椅子またはソファー用台座を提供することをもう一つの目的とする。
【課題を解決するための手段】
【０００５】
上述した課題を解決するため、ベッド、椅子またはソファー用台座は、固定座、第一揺れ座、第二揺れ座、旋転座、第一駆動装置、第二駆動装置および第三駆動装置を備える。第一揺れ座は固定座の上方に装着され、固定座に対して前後に往復運動する。第二揺れ座は第一揺れ座の上方に装着され、第一揺れ座に対して左右に往復運動する。旋転座は第二揺れ座の上方に装着され、仮想垂直線を軸にして第二揺れ座に対して旋転する。第一駆動装置は固定座と第一揺れ座との間に装着され、固定座に対して第一揺れ座を前後に揺らす。第二駆動装置は第一揺れ座と第二揺れ座との間に装着され、第一揺れ座に対して第二揺れ座を左右に揺らす。第三駆動装置は第二揺れ座と旋転座との間に装着され、第二揺れ座に対して旋転座を旋転させる。上述した特徴により、台座は前後スウィング機能、左右スウィング機能および旋転機能を同時に果たすか、単独でいずれか一つの機能を果たすことができるだけでなく、構造の小型軽量化および運送の利便性を実現させ、作動の時の騒音を低減し、製造コストを削減することができる。
【図面の簡単な説明】
【０００６】
【図１】本発明の一実施形態によるベッド、椅子またはソファー用台座を示す斜視図である。
【図２】本発明の一実施形態によるベッド、椅子またはソファー用台座を示す分解斜視図である。
【図３】本発明の一実施形態によるベッド、椅子またはソファー用台座を示す正面図である。
【図４】本発明の一実施形態によるベッド、椅子またはソファー用台座を示す側面図である。
【図５】本発明の一実施形態によるベッド、椅子またはソファー用台座を示す平面図である。
【図６】本発明の一実施形態によるベッド、椅子またはソファー用台座の一部分を示す斜視図である。
【図７】本発明の一実施形態によるベッド、椅子またはソファー用台座の一部分を示す斜視図である。
【図８】本発明の一実施形態によるベッド、椅子またはソファー用台座の一部分を示す斜視図である。
【発明を実施するための形態】
【０００７】
以下、本発明によるベッド、椅子またはソファー用台座を図面に基づいて説明する。
（一実施形態）
図１から図５に示すように、本発明の一実施形態によるベッド、椅子またはソファー用台座１を使用する際、ベッド、椅子またはソファー（図中未表示）を台座１に固定すれば、運動方向が異なるスウィング機能および旋転機能をベッド、椅子またはソファーに持たせることができる。ベッド、椅子またはソファー用台座１は固定座１０、第一揺れ座２０、第二揺れ座３０、旋転座４０、第一駆動装置５０、第二駆動装置６０および第三駆動装置７０を備える。図２に示すように、運動方向を説明するために、Ｘ軸方向は前後方向を表示し、Ｙ軸方向は左右方向を表示し、Ｚ軸方向は上下方向を表示するが、方向性用語は請求範囲を限定できない。
【０００８】
固定座１０は、底部１１および六つの縦方向ローラー１４を有する。底部１１は地面または別の平たい所に着地する矩形フレームから構成され、底部１１から上に伸びて形成された四つの縦方向支持アーム１２を有する。四つの縦方向支持アーム１２は一対即ち二つずつ底部１１に配置される。六つの縦方向ローラー１４は底部１１の上方かつ前後に回転可能なように装着され、かつ二列に分かれて相互に平行して配列される。二列の縦方向ローラー１４はそれぞれ二つの下方ローラー１５および一つの上方ローラー１６を含む。上方ローラー１６は一対即ち二つの縦方向支持アーム１２の間に装着され、位置が下方ローラー１５より高い。二列の縦方向ローラー１４中の上方ローラー１６はそれぞれ二つの下方ローラー１５の間に位置付けられる。底部１１の形と、縦方向ローラー１４の数、配列および装着方式は本実施形態に限定されず、別の実施形態において変更されてもよい。
【０００９】
第一揺れ座２０は、固定座１０の上方に装着され、固定座１０に対して前後に往復運動する。第一揺れ座１０はフレーム前部２１、二対の横方向支持アーム２２、フレーム後部２３、複数の横方向ローラー２４、四つの縦部材２７、二つのフレーム側部２８および二つの前後方向に広がる縦方向円弧状レール２９を有する。二対の横方向支持アーム２２は二つずつフレーム前部２１およびフレーム後部２３に突出するように配置される。複数の横方向ローラー２４はフレーム前部２１およびフレーム後部２３の上方に回転可能なように装着され、かつ左右方向に沿って二列に分かれて相互に平行して配列される。二列の横方向ローラー２４はそれぞれ二つの下方ローラー２５および一つの上方ローラー２６を含む。上方ローラー２６は一対即ち二つの横方向支持アーム２２の間に装着され、位置が下方ローラー２５より高い。二列の横方向ローラー２４中の上方ローラー２６はそれぞれ二つの下方ローラー２５の間に位置付けられる。四つの縦部材２７はフレーム前部２１およびフレーム後部２３の両端に別々に突出するように配置され、二つのフレーム側部２８の両端に連結されるため、フレーム前部２１、フレーム後部２３、四つの縦部材２７および二つのフレーム側部２８は相互に連結されてフレームになる。二つの縦方向円弧状レール２９は二つのフレーム側部２８の下方に配置され、両端が四つの縦部材２７に連結される。二つの縦方向円弧状レール２９は下方に突出する円弧状を呈し、それぞれ一対即ち二つの縦方向支持アーム１２の間を貫通すると同時に縦方向ローラー１４に当接する。二列の縦方向ローラー１４はそれぞれ縦方向円弧状レール２９の上部および下部に接触する。縦方向円弧状レール２９は横断面の形が円形を呈し、縦方向ローラー１４との間が線接触である。上述し構造特徴により、第一揺れ座２０は固定座１０に対して前後に往復運動できる。第一揺れ座２０の運動方式はまるで第一揺れ座２０が紐の一端に吊るされて往復運動するような振り子である。第一揺れ座２０は構造が安定し、摩擦力が低いため異常な音の発生を抑制できる。第一揺れ座２０は上述に限定されない。別の実施形態において、第一揺れ座２０の構造と、横方向ローラー２４の数、配列および配置方式とは変わってもよい。例えば、二つのフレーム側部２８は省略される。四つの縦部材２７は二つの縦方向円弧状レール２９の両端から下方に突出するように配置される。フレーム前部２１およびフレーム後部２３はそれぞれ前方および後方に位置する二つの縦部材２７の底部に連結される。
【００１０】
第二揺れ座３０は第一揺れ座２０の上方に装着され、第一揺れ座２０に対して左右に往復運動する。第二揺れ座３０は荷重受け部３８、軸受け部３３、八つの可動当接部材３６および二つの左右方向に広がる横方向円弧状レール３９を有する。荷重受け部３８は正方形のフレームからなる。軸受け部３３は荷重受け部３８の中央に位置付けられる。八つの可動当接部材３６は旋転座４０に当接するために軸受け部３３を円心にして荷重受け部３８の上方に円環状に配置される。二つの横方向円弧状レール３９は荷重受け部３８の前後両側の下方に配置されて下方の二つの縦方向円弧状レール２９の間の空間に嵌まり込む。二つの横方向円弧状レール３９は複数の横方向ローラー２４に当接し、形が縦方向円弧状レール２９と同じである。二つの横方向円弧状レール３９はそれぞれ一対即ち二つの横方向支持アーム２２の間を貫通する。複数の横方向ローラー２４は二つの横方向円弧状レール３９の上部および下部に接触するため、第二揺れ座３０と第一揺れ座２０の結合をより安定させる。上述した構造特徴により、第二揺れ座３０は第一揺れ座２０に対して左右に往復運動できる。本実施形態において、可動当接部材３６はローラーである。別の実施形態において、第二揺れ座３０は構造が上述に限らず、変わってもよい。例えば、荷重受け部３８は省略される。二つの横方向円弧状レール３９は二つの縦方向側辺部材に連結される。可動当接部材３６は二つの縦方向側辺部材の上方に配置される。
【００１１】
旋転座４０は第二揺れ座３０の上方に装着され、仮想垂直線を軸にして第二揺れ座３０に対して旋転する。仮想垂直線は固定座１０、第一揺れ座２０、第二揺れ座３０および軸受け部３３を貫通する。本実施形態において、旋転座４０は正方形のフレームからなり、嵌合部４２、四つの連結部材４４および当接部４６を有する。嵌合部４２は第二揺れ座３０の軸受け部３３と嵌り合うように配置される。四つの連結部材４４はベッド、椅子またはソファーと結合するために旋転座４０の頂面に配置される。当接部４６は円環状を呈し、可動当接部材３６に当接するため、旋転座４０は第二揺れ座３０に対してスムーズに旋転できる。
【００１２】
図６は固定座１０、第一揺れ座２０および第一駆動装置５０が結合した状態を示す斜面図である。第一駆動装置５０は固定座１０と第一揺れ座２０との間に装着され、固定座１０に対して第一揺れ座２０を前後に往復運動させる。第一駆動装置５０は様々なタイプがある。本実施形態において、第一駆動装置５０は第一動力源５２、第一レバー５６および第一連結棒５８を有する。第一動力源５２は固定座１０に配置され、第一モーター５４および第一減速ギア５５から構成され、第一出力軸５３を有す。第一出力軸５３はＹ軸方向即ち水平方向に沿って伸びて配置される。第一レバー５６は一端が第一出力軸５３に連結される。第一連結棒５８は一端が第一レバー５６に連結され、他端が第一揺れ座２０に連結される。上述した構造特徴により、第一モーター５４が第一出力軸５３を駆動して回転させる際、第一駆動装置５０は第一レバー５６および第一連結棒５８によって固定座１０に対して第一揺れ座２０を前後に往復運動させることができる。
【００１３】
図７は第一揺れ座２０、第二揺れ座３０および第二駆動装置６０が結合した状態を示す斜面図である。第二駆動装置６０および第一駆動装置５０は構造が同じである。第二駆動装置６０は第一揺れ座２０と第二揺れ座３０との間に装着され、第一揺れ座２０に対して第二揺れ座３０を左右に往復運動させる。第二駆動装置６０は第二動力源６２、第二レバー６６および第二連結棒６８を有する。第二動力源６２は第一揺れ座２０に配置され、第二モーター６４および第二減速ギア６５から構成され、第二出力軸６３を有す。第二出力軸６３はＸ軸方向即ち水平方向に沿って伸びて配置される。第二レバー６６は一端が第二出力軸６３に連結される。第二連結棒６８は一端が第二レバー６６に連結され、他端が第二揺れ座３０に連結される。上述した構造により、第二モーター６４が第二出力軸６３を駆動して旋転させる際、第二駆動装置６０は第二レバー６６および第二連結棒６８によって第一揺れ座２０に対して第二揺れ座３０を左右に往復運動させることができる。
【００１４】
図８は第二揺れ座３０、旋転座４０および第三駆動装置７０が結合した状態を示す斜面図である。第三駆動装置７０、第一駆動装置５０および第二駆動装置６０は構造が同じである。第三駆動装置７０は第二揺れ座３０と旋転座４０との間に装着され、第二揺れ座３０に対して旋転座４０を旋転させる。第三駆動装置７０は第三動力源７２、第三レバー７６および第三連結棒７８を有する。第三動力源７２は第二揺れ座３０に配置され、第三モーター７４および第三減速ギア７５から構成され、第三出力軸７３を有す。第三レバー７６は一端が第三出力軸７３に連結される。第三出力軸７３はＺ軸方向即ち垂直方向に沿って伸びて配置される。第三連結棒７８は一端が第三レバー７６に連結され、他端が旋転座４０に連結される。上述した構造により、第三モーター７４が第三出力軸７３を駆動して旋転させる際、第三駆動装置７０は第三レバー７６および第三連結棒７８によって第二揺れ座３０に対して旋転座４０を持続的に旋転させることができる。
【００１５】
別の実施形態において、旋転座４０は構造が上述に限らず、変わってもよい。例えば、旋転座４０が円盤体であれば当接部４６が円盤体の底部に配置される。第一駆動装置５０は上述に限定されない。第一駆動装置５０の両端を別々に固定座１０および第一揺れ座２０に接続さえすればよい。第二駆動装置６０は上述に限定されない。第二駆動装置６０の両端を別々に第一揺れ座２０および第二揺れ座３０に接続さえすればよい。第三駆動装置７０は上述に限定されない。第三駆動装置７０の両端を別々に第二揺れ座３０および旋転座４０に接続さえすればよい。つまり、駆動装置の種類および接続位置は上述した実施形態に限定されない。
【００１６】
上述した構造特徴により、ベッド、椅子またはソファーと本発明によるベッド、椅子またはソファー用台座１が結合する（即ちベッド、椅子またはソファーが旋転座４０に固定される）際、ベッド、椅子またはソファー用台座１は前後スウィング機能、左右スウィング機能および旋転機能を同時に発揮できるか、単独でいずれか一つの機能を発揮できるため、使用者に快適さおよびリラックス効果を体感させることができる。またベッド、椅子またはソファー用台座１は構造が安定し、重量および体積が比較的小さいため運送に便利である。また二つの横方向円弧状レール３９は下方の二つの縦方向円弧状レール２９の間の空間に嵌まり込むため、ベッド、椅子またはソファー用台座１は全体の高さが３０センチ前後であり、ベッド、椅子またはソファーと結合した後の高さが適宜使用高さ範囲内にある。また第一駆動装置５０、第二駆動装置６０および第三駆動装置７０は同じ部品を採用するため、材料調達および組立作業に便利であり、コストを大幅に削減することができる。また本実施形態に使用される駆動装置は稼働の際に生じる騒音および振動が低いため、使用者を煩わせることを減少させ、使用者を十分にリラックスさせることができる。
【００１７】
本発明の精神に基づいてベッド、椅子またはソファー用台座１は構造が上述に限定されず、変わってもよい。例えば、可動当接部材３６と当接部４６は位置が入れ替わってもよい。つまり可動当接部材３６は旋転座４０の底面に位置するのに対し、当接部４６は第二揺れ座３０の頂面に位置する。可動当接部材３６はエンジニアリングプラスチック、ボール盤、環状軸受またはユニバーサルボールから構成される。可動当接部材３６の数はニーズに応じて増減してもよい。可動当接部材３６が少なくとも一つでさえあればよい。可動当接部材３６が環状のボール盤である場合、ボール盤は旋転座と第二揺れ座との間に配置されるため、軸受け部および嵌合部を配置することが必要ではない。
【００１８】
以上、本発明は、上記実施形態になんら限定されるものではなく、発明の趣旨を逸脱しない範囲において種々の形態で実施可能である。
【符号の説明】
【００１９】
１：ベッド、椅子またはソファー用台座、  
１０：固定座、  
１１：底部、  
１２：縦方向支持アーム、  
１４：縦方向ローラー、  
１５：下方ローラー、  
１６：上方ローラー、  
２０：第一揺れ座、
２１：フレーム前部、
２２：横方向支持アーム
２３：フレーム後部、
２４：横方向ローラー、
２５：下方ローラー、  
２６：上方ローラー、
２７：縦部材、
２８：フレーム側部、
２９：縦方向円弧状レール、
３０：第二揺れ座、
３３：軸受け部、
３６：可動当接部材、
３８：荷重受け部、
３９：横方向円弧状レール、
４０：旋転座、  
４２：嵌合部、
４４：連結部材、
４６：当接部、  
５０：第一駆動装置、  
５２：第一動力源、  
５３：第一出力軸、  
５４：第一モーター、  
５５：第一減速ギア、
５６：第一レバー、  
５８：第一連結棒、  
６０：第二駆動装置、  
６２：第二動力源、  
６３：第二出力軸、  
６４：第二モーター、  
６５：第二減速ギア、
６６：第二レバー、  
６８：第二連結棒、
７０：第三駆動装置、  
７２：第三動力源、  
７３：第三出力軸、  
７４：第三モーター、  
７５：第三減速ギア、
７６：第三レバー、  
７８：第三連結棒、
【図１】
2019136477.tif 000003
【図２】
2019136477.tif 000004
【図３】
2019136477.tif 000005
【図４】
2019136477.tif 000006
【図５】
2019136477.tif 000007
【図６】
2019136477.tif 000008
【図７】
2019136477.tif 000009
【図８】
2019136477.tif 000010